(57)【要約】【課題】  システムの構成要素を高密度配線盤に容易に後付可能で、現場の作業効率を高める安価な配線管理システムを提供すること。【解決手段】  作業者は、配線盤１に高密度に配置されているアダプタ２のアダプタ位置を、配線ケーブル１５のコネクタ１０に取付けられているコネクタタグ１１を取り外し、対応する行バーコード読取端３と対応する列バーコード読取端４に夫々かざして指定する。コントローラ１９はコネクタＩＤとアダプタ位置情報を読み取ってメモリに記憶し、該当行ＬＥＤ５と列ＬＥＤ６を点滅させ、表示部２２にアダプタ位置情報を表示する。コントローラ１９は、コネクタＩＤと配線盤１のアダプタ番号が対応付けられた配線情報が記憶されているデータベース装置２０のデータを利用して、作業者のコネクタの挿抜作業を支援する。【選択図】  図1
2007221400.tif 000002
【特許請求の範囲】
【請求項１】
配線盤に複数の行と列に整然と配置された多数のアダプタに配線ケーブルのコネクタを選択的に挿抜する配線作業を支援する配線管理システムにおいて、
配線ケーブルのコネクタのＩＤとアダプタ番号が対応付けられて記憶されたデータベース装置を備えた配線管理装置と、
前記コネクタに取り付けられ当該プラグのＩＤをバーコードで記憶したコネクタタグと、
前記配線管理装置に接続され且つ前記配線盤に配置されたアダプタ行バーコードリーダの読取端と、
前記配線管理装置に接続され且つ前記配線盤に配置されたアダプタ列バーコードリーダの読取端とから構成された配線管理システム。
【請求項２】
配線盤に複数の行と列に整然と配置された多数のアダプタに配線ケーブルのコネクタを選択的に挿抜する配線作業を支援する配線管理システムにおいて、
配線ケーブルのコネクタのＩＤとアダプタ番号が対応付けられて記憶されたデータベース装置を備えた配線管理装置と、
前記コネクタに取り付けられ当該プラグのＩＤをバーコードで記憶したコネクタタグと、
前記配線管理装置に接続され且つ前記配線盤に配置されたアダプタ行選択スイッチと、
前記配線管理装置に接続され且つ前記配線盤に配置されたアダプタ列バーコードリーダの読取端とから構成された配線管理システム。
【請求項３】
配線盤に複数の行と列に整然と配置された多数のアダプタに配線ケーブルのコネクタを選択的に挿抜する配線作業を支援する配線管理システムにおいて、
配線ケーブルのコネクタのＩＤとアダプタ番号が対応付けられて記憶されたデータベース装置を備えた配線管理装置と、
前記コネクタに取り付けられ当該プラグのＩＤをバーコードで記憶したコネクタタグと、
前記配線管理装置に接続され且つ前記配線盤に配置されたアダプタ列選択スイッチと、
前記配線管理装置に接続され且つ前記配線盤に配置されたアダプタ行バーコードリーダの読取端とから構成された配線管理システム。
【請求項４】
配線盤に複数の行と列に整然と配置された多数のアダプタに配線ケーブルのコネクタを選択的に挿抜する配線作業を支援する配線管理システムにおいて、
配線ケーブルのコネクタのＩＤとアダプタ番号が対応付けられて記憶されたデータベース装置を備えた配線管理装置と、
前記コネクタに取り付けられ当該プラグのＩＤをバーコードで記憶したコネクタタグと、
前記配線管理装置に接続され且つ前記配線盤に配置されたアダプタ行選択スイッチと、
前記配線管理装置に接続され且つ前記配線盤に配置されたアダプタ列選択スイッチと、
前記配線管理装置に接続され且つ前記配線盤に配置されたバーコードリーダの読取端とから構成された配線管理システム。
【請求項５】
前記配線管理装置に接続されたアダプタ行ナビゲーション用表示手段とアダプタ列ナビゲーション用表示手段が前記配線盤に更に配置されていることを特徴とする請求項１から請求項４のいずれか一つに記載されたことを特徴とする配線管理システム。
【請求項６】
前記行アダプタ・ナビゲーション用表示手段と列アダプタ・ナビゲーション用表示手段は、行アダプタ・ナビゲーション用ＬＥＤと列アダプタ・ナビゲーション用ＬＥＤであることを特徴とする請求項５に記載されたことを特徴とする配線管理システム。
【発明の詳細な説明】
【技術分野】
【０００１】
本発明は、多数のアダプタが複数の行と列に整然と配置された高密度配線盤に適用される配線管理システムに関し、特に、前記多数のアダプタに配線ケーブルのコネクタを選択的に挿抜する配線作業を支援する配線管理システムに関する。
【背景技術】
【０００２】
特開２００１−５７６８３号公報（特許文献１）には、バーコードの挿抜光ファイバ識別記号が付与された挿抜光ファイバが採用された光配線システムが開示されている。作業者は、作業支援携帯端末で前記バーコードを読み取ることにより、挿抜光ファイバを効率よく探索することができる。
【０００３】
しかしながら、この光配線システムにおいては、現場の作業者が指示に従って挿抜光ファイバの挿抜を適切に行ったことを確認することができないという問題がある。また、挿抜を行うべき接続盤上の接続端子を指示する表示部は、当該接続端子を直接的に指示するものではなく、当該接続端子の位置番号を指示するものであり、作業者は指示された位置番号から目的の接続端子を探さなければならないという面倒さもある。更に、この表示部は、接続盤を作成する際に設置されるものであり、しかも有線で中間光配線管理装置に接続されているから、システムのコスト増に繋がるという問題もある。勿論、保持盤ユニットに設けられた表示部についても、同様のコストの問題がある。
【０００４】
次に、米国特許第５８２１５１０号公報（特許文献２）には、バーコードを利用した配線管理システムが開示されている。アダプタ用バーコードは、配線盤の多数のアダプタが所定の行列で整然と配置されている配線架に、アダプタ毎に取り付けられている。アダプタ用バーコードは、それが取り付けられているアダプタの位置情報を表すものである。また、プラグ用バーコードは、アダプタに挿着される配線ケーブルの両端のプラグにそれぞれ取り付けられている。プラグ用バーコードは、それが取り付けられているプラグの識別情報を表すものである。
【０００５】
アダプタ用バーコードとプラグ用バーコードのデータは、作業者によってバーコーリ−ダで読み取られる。読み取られたデータは、パソコンの如き配線管理装置に無線伝送される。配線管理装置は、無線伝送されて入力されたデータを処理し、その表示画面にアダプタとプラグの接続状況を所定のフォーマットで表示する。管理室の配線管理装置のオペレータは、表示画面から、アダプタとプラグの接続が正しいか否かを判断する。或いは、配線管理装置は、アダプタとプラグの接続状況と共に、誤接続か否かの判断結果を併せて表示する。従って、このアダプタ用バーコードとプラグ用バーコードを利用した配線状態確認システムは、アダプタとプラグの接続状況を効率的に把握できるシステムである。
【０００６】
この従来の配線管理システムにおいて、アダプタ用バーコードは既存の配線盤に簡単に後付ができる。また、プラグ用バーコードは配線ケーブルの両端のプラグに簡単に取付けられる。従って、この従来の配線管理システムは、配線盤に複数の行と列に整然と配置された多数のアダプタに配線ケーブルのコネクタを選択的に挿抜する配線作業を支援する配線管理システムにおいて、システムの構成要素を高密度配線盤に容易に後付が可能な安価な配線管理システムである。
【０００７】
しかしながら、この従来のシステムでは、バーコードの読み取りを手持ちのバーコードリーダを利用するものであるから、現場の作業者は配線ケーブルを一方の手に且つバーコードリーダを他方に手に持って配線作業をしなければならない。このため、現場の作業者の作業効率が悪いという問題がある。また、この従来のシステムでは、現場の作業者は誤接続を即時に知ることができないという問題がある。更に、管理室の配線管理装置のオペレータから誤接続のアダプタの位置情報を電話等で知らされても、目視で当該アダプタを探さなければならない。これは作業効率が悪いだけでなく、ミスの恐れもある。更にまた、この従来のシステムでは、配線変更の対象となるアダプタとプラグを現場の作業者が直接的に知ることができないという問題もある。
【特許文献１】特開２００１−５７６８３号公報
【特許文献２】米国特許第５８２１５１０号公報
【発明の開示】
【発明が解決しようとする課題】
【０００８】
本発明が解決しようとする第１の課題は、複数の行と列に整然と高密度に配置された多数のアダプタを備える高密度配線盤に配線ケーブルのコネクタを選択的に挿抜する配線作業を支援する配線管理システムにおいて、システムの構成要素を高密度配線盤に容易に後付が可能な安価な配線管理システムを提供することである。
本発明が解決しようとする第２の課題は、複数の行と列に整然と高密度に配置された多数のアダプタを備える高密度配線盤に適用された配線管理システムにおいて、現場作業者の作業効率を高めることである。
【課題を解決するための手段】
【０００９】
上記課題を解決する配線管理システムは、配線盤に複数の行と列に整然と配置された多数のアダプタに配線ケーブルのコネクタを選択的に挿抜する配線作業を支援する配線管理システムにおいて、配線盤に配置したバーコードリーダを利用して、コネクタを挿抜すべきアダプタの選択を現場の作業者が行えるようにした。
【００１０】
即ち、上記第１の課題を解決する配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタ番号が対応付けられて記憶されたデータベース装置を備えた配線管理装置と、前記コネクタに取り付けられたコネクタタグであって当該プラグのＩＤを記憶したコネクタタグと、前記配線管理装置に接続され且つ前記配線盤に配置されたアダプタ行バーコードリーダの読取端と、前記配線管理装置に接続され且つ前記配線盤に配置されたアダプタ列バーコードリーダの読取端とで構成されたものである。
【００１１】
上記第２の解決する配線管理システムは、上述の第１の課題を解決する配線管理システムにおいて、前記配線管理装置に接続された行アダプタ・ナビゲーション用表示手段と列アダプタ・ナビゲーション用表示手段が配線盤に更に配置したものである。
【発明の効果】
【００１２】
本発明により、配線盤に複数の行と列に整然と高密度に配置された多数のアダプタを備える高密度配線盤に配線ケーブルのコネクタを選択的に挿抜する配線作業を支援する配線管理システムにおいて、システムの構成要素を高密度配線盤に容易に後付が可能な安価な配線管理システムを提供することができた。また、本発明に係る配線管理システムにおいては、現場の配線作業の際に作業者はタグリーダ／ライタを手に持つ必要がないので、作業効率を高めることができた。
【発明を実施するための最良の形態】
【００１３】
本発明に係る配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタ番号が対応付けられて記憶されたデータベース装置を備えた配線管理装置と、前記コネクタに取り付けられ当該プラグのＩＤをバーコードで記憶したコネクタタグと、前記配線管理装置に接続され且つ前記配線盤に配置されたアダプタ行バーコードリーダの読取端と、前記配線管理装置に接続され且つ前記配線盤に配置されたアダプタ列バーコードリーダの読取端とから構成されたものである。
【実施例１】
【００１４】
本発明の実施例１の配線管理システムは、図１の模式的構成図で示す配線盤が多数収容された配線架に適用されるもので、図２のブロック回路図に示す如き配線管理装置を有する。配線ケーブル１５は、コネクタタグ１１がコネクタ１０に取付けられた光ケーブルである。
【００１５】
配線盤１は、図１に示す如く、その中央部に８行１０列に整然と配置されている多数のアダプタ２を備えるものである。また、配線盤１の左側には８個のアダプタ行バーコード読取端３と８個の行ＬＥＤ５が、アダプタ２の行に対応して夫々配置されている。また、配線盤１の上側には１０個のアダプタ列バーコード読取端４と１０個の列ＬＥＤ６が、アダプタ２の列に対応して夫々配置されている。
【００１６】
即ち、配線盤１は、８行と１０列に整然と配置された多数のアダプタ２が配置された高密度配線盤である。配線盤１には、コントローラ１９に接続されたアダプタ行バーコード読取端３、行ＬＥＤ５、アダプタ列バーコード読取端４、及び列ＬＥＤ６が後付で取付けられている。配線ケーブル１５のコネクタ１０には、コネクタタグ１１が取付けられている。
【００１７】
配線管理装置は，主要部を構成するコントローラ１９とデータベース部２０とで構成されている。コントローラ１９は、図２のブロック回路図に示す如く、メモリを内蔵した制御部２１を備える。制御部２１には、表示部２２、電子音や音声などのアラームを発生する警報部２３、データベース部２０等の上部システムのインタフェース２４、及びコネクタの挿入と抜去を選択する挿抜選択スイッチ２５が接続されている。また、制御部２１には、８個のアダプタ行バーコード読取端３からなる行バーコード読取部２６と、１０個のアダプタ列バーコード読取端４からなる列バーコード読取部２７、８個の行ＬＥＤ５からなる行ＬＥＤ表示部２８、及び１０個の列ＬＥＤ６からなる列ＬＥＤ表示部２９も接続されている。
【００１８】
データベース部２０には、配線ケーブル１５のコネクタのＩＤとアダプタ番号が対応付けられて記憶されている。要するに、上記配線管理装置は、配線ケーブル１５のコネクタのＩＤとアダプタ番号が対応付けられて記憶されたデータベース１９を備えたものである。
【００１９】
バーコードリーダは、８個のアダプタ行バーコード読取端３からなる行バーコード読取部２７、１０個のアダプタ列バーコード読取端４からなる列バーコード読取部２８、及びコントローラ１９の制御部２１を含んで構成されている。
【００２０】
上述の如く構成された実施例１の配線管理システムを利用して行うコネクタのフリー挿入又はフリー抜去の作業において、作業者はコネクタの挿抜を行うべき配線盤１に高密度に配置されているアダプタ２のアダプタの行位置を、配線ケーブル１５のコネクタ１０に取付けられているコネクタタグ１１を８個のアダプタ行バーコード読取端３の中の対応する行バーコード読取端３にかざして、上述のバーコードリーダにコネクタＩＤを読み取らせる。
【００２１】
続いて、作業者はコネクタの挿抜を行うべき配線盤１に高密度に配置されているアダプタ２のアダプタの列位置を、配線ケーブル１５のコネクタ１０に取付けられているコネクタタグ１１を１０個のアダプタ列バーコード読取端４の中の対応する列バーコード読取端４にかざして、上述のバーコードリーダにコネクタＩＤを読み取らせる。
【００２２】
すると、コントローラ１９は、行バーコード読取端３と列バーコード読取端４を検索し、コネクタタグ１１がかざされたアダプタ行バーコード読取端３とアダプタ列バーコード読取端３の位置を特定し、更に上記バーコードリーダが読み取ったコネクタＩＤから配線ケーブル１５のコネクタ１０を特定する。そして、コントローラ１９は、配線ケーブル１５のコネクタ１０のコネクタＩＤと配線盤１のアダプタ番号が対応付けられた配線情報が記憶されているデータベース装置２０のデータを利用して、作業者のコネクタの挿抜作業を支援する。以下、図３から図６のフローチャートを参照して、実施例１の配線管理システムによる配線作業を詳細に説明する。
【００２３】
（フリー挿入作業）
配線管理装置からのナビゲーションによらないで、作業者が多数のアダプタの中の選択されたアダプタに配線ケーブルのコネクタを挿入する作業、即ちフリー挿入作業は、図３のフローチャートに示す流れに従って行われる。
【００２４】
作業者は、先ず、コントローラの挿抜選択スイッチ２５を操作してフリー挿入を選択する。続いて作業者は、作業指示書に従って、該当配線ケーブルのコネクタが挿入されるアダプタを、配線ケーブル１５のコネクタ１０に取付けられているコネクタタグ１１を、対応する行バーコード読取端３と対応する列バーコード読取端４に夫々かざして指定する（１０１）。すると、制御部２１は、コネクタＩＤとアダプタ位置情報を読み取ってメモリに記憶する（１０２）。続いて、制御部２１は、該当行・列のアダプタ位置のデータがないかを、データベース装置２０に問い合わせて判断する（１０３）。
【００２５】
ステップ１０３の判断結果がＮＯならば、制御部１１は警報部２３を作動させて、正しくないアダプタ位置を選択したことを作業者に報知するために、アラームを発生させる（１０９）。アラームを聞いた作業者は、最初のステップ１０１に戻って作業をやり直すことになる。
【００２６】
ステップ１０３の判断結果がＹＥＳならば、制御部２１は該当行ＬＥＤ５と列ＬＥＤ６を点滅させ、表示部２２にアダプタ位置情報を表示する（１０４）。ステップ１０４の表示により、該当配線ケーブルのコネクタを挿入すべきアダプタ位置が正しいことを確認した作業者は、配線ケーブル１５のコネクタ１０を選択されたアダプタ２に挿入し（１０５）、続いて、図示しないスイッチを操作して制御部２１に挿入完了信号を入力する（１０６）。すると、制御部２１は、そのメモリに記憶されたアダプタ位置とコネクタＩＤを対応付けた配線情報をデータベース装置２０に送信し、データベース装置２０のデータを登録し（１０７）、点灯している行ＬＥＤ５と列ＬＥＤ６を消灯させ、表示部２１の表示を終了させ（１０８）、これによってフリー挿入作業を終了させる。
【００２７】
（フリー抜去作業）
配線管理装置からのナビゲーションによらないで、作業者が多数のアダプタの中の選択されたアダプタから配線ケーブルのコネクタを抜去する作業、即ちフリー抜去作業は、図４のフローチャートに示す流れに従って行われる。
【００２８】
作業者は、先ず、コントローラの挿抜選択スイッチ２５を操作してフリー抜去を選択する。続いて作業者は、作業指示書に従って、該当アダプタに挿入されている配線ケーブル１５のコネクタ１０からコネクタタグ１１を取り外し（２０１）、行バーコード読取端３と列バーコード読取端４にかざす（２０２）。すると、制御部２１は、コネクタタグ１１のコネクタＩＤと該当行・列のアダプタ位置情報を読み取り、内蔵のメモリに記憶する（２０３）。続いて、制御部２１は、読み取った該当行・列のアダプタ位置とコネクタＩＤの組合せがデータベース装置２０に記憶されているものと同じか否かを判断する判断する（２０４）。
【００２９】
ステップ２０４の判断結果がＮＯならば、制御部１１は警報部２３を作動させてアラームを発生させ（２１０）、正しくないコネクタタグ１１を選択したことを作業者に報知する。アラームを聞いた作業者は、間違って引き出したコネクタタグ１１を元に戻し（２１１）、最初のステップ２０１に戻って作業をやり直すことになる。
【００３０】
ステップ２０４の判断結果がＹＥＳならば、制御部２１は該当行ＬＥＤ５と列ＬＥＤ６を点滅させる（２０５）。ステップ２０５の表示により、配線ケーブルのコネクタを抜去すべき該当アダプタ位置が正しいことを確認した作業者は、配線ケーブル１５のコネクタ１０を選択されたアダプタ２から抜去し（２０６）、続いて、図示しないスイッチを操作して制御部２１に抜去完了信号を入力する（２０７）。すると、制御部２１は、そのメモリに記憶されたアダプタ位置とコネクタＩＤを対応付けた配線情報をデータベース装置２０に送信し、該当アダプタ位置情報とコネクタＩＤの組合せデータを削除し（２０８）、点滅している行ＬＥＤ５と列ＬＥＤ６を消灯させ（２０９）、これによってフリー抜去作業を終了させる。
【００３１】
（ナビゲーション挿入作業）
配線管理装置からのナビゲーションより作業者が多数のアダプタの中の選択されたアダプタに配線ケーブルのコネクタを挿入する作業、即ちナビゲーション挿入作業は、図５のフローチャートに示す流れに従って行われる。
【００３２】
作業者は、先ず、コントローラの挿抜選択スイッチ２５を操作してナビゲーション挿入を選択する。続いて作業者は、配線ケーブル１５のコネクタ１０に取付けられているコネクタタグ１１を、行バーコード読取端３と列バーコード読取端４の任意の読取端にかざす（３０１）。すると、制御部２１は、コネクタＩＤを読み取って、データベース装置２０に問い合わせ、該当コネクタを挿入すべきアダプタ位置情報を取得する（３０２）。そして、制御部２１は、該当コネクタを挿入すべきアダプタ位置情報に該当する行ＬＥＤ５と列ＬＥＤ６を点滅させ、表示部２２を駆動して挿入位置を表示させる（３０３）。
【００３３】
ステップ３０３の表示に従って、作業者は行バーコード読取端３と列バーコード読取端４にかざす（３０４）。すると、制御部２１は、コネクタタグ１１のコネクタＩＤと該当行・列のアダプタ位置情報を読み取り、内蔵のメモリに記憶する（３０５）。続いて、作業者は、配線ケーブル１５のコネクタ１０を選択されたアダプタ２に挿入し（３０６）、続いて、図示しないスイッチを操作して制御部２１に挿入完了信号を入力する（３０７）。すると、制御部２１は、そのメモリに記憶されたアダプタ位置とコネクタＩＤを対応付けた配線情報をデータベース装置２０に送信し、データベース装置２０のデータを登録し（３０８）、点灯している行ＬＥＤ５と列ＬＥＤ６を消灯させ、表示部２１の表示を終了させ（３０９）、これによってナビゲーション挿入作業を終了させる。
【００３４】
（ナビゲーション抜去作業）
配線管理装置からのナビゲーションにより、作業者が多数のアダプタの中の選択されたアダプタから配線ケーブルのコネクタを抜去する作業、即ちナビゲーション抜去作業は、図６のフローチャートに示す流れに従って行われる。
【００３５】
作業者は、先ず、コントローラの挿抜選択スイッチ２５を操作してナビゲーション抜去を選択する。すると制御部２１は、抜去すべきアダプタ位置情報に該当する行ＬＥＤ５と列ＬＥＤ６を点滅させる（４０１）。そこで、作業者は、当該アダプタに挿入されているコネクタ１０のコネクタタグ１１を引き出し（４０２）、該当する行バーコード読取端３と列バーコード読取端４にかざす（４０３）。すると、制御部２１は、コネクタタグ１１のコネクタＩＤと該当行・列のアダプタ位置情報を読み取り、内蔵のメモリに記憶する（４０４）。続いて、制御部２１は、読み取った該当行・列のアダプタ位置とコネクタＩＤの組合せがデータベース装置２０に記憶されているものと同じか否かを判断する（４０５）。
【００３６】
ステップ４０５の判断結果がＮＯならば、制御部１１は警報部２３を作動させてアラームを発生させ（４１０）、正しくないコネクタタグ１１を選択したことを作業者に報知する。アラームを聞いた作業者は、間違って引き出したコネクタタグ１１を元に戻し（４１１）、最初のステップ４０１に戻って作業をやり直すことになる。
【００３７】
ステップ４０５の判断結果がＹＥＳならば、即ちアラームが発生しなければ、作業者は配線ケーブル１５のコネクタ１０を選択されたアダプタ２から抜去し（４０６）、続いて、図示しないスイッチを操作して制御部２１に抜去完了信号を入力する（４０７）。すると、制御部２１は、そのメモリに記憶されたアダプタ位置とコネクタＩＤを対応付けた配線情報をデータベース装置２０に送信し、該当アダプタ位置情報とコネクタＩＤの組合せデータを削除し（４０８）、点滅している行ＬＥＤ５と列ＬＥＤ６を消灯させ（４０９）、これによってナビゲーション抜去作業を終了させる。
【００３８】
以上詳細に説明した如く、実施例１の配線管理システムは、配線盤１に複数の行と列に整然と配置された多数のアダプタ２に配線ケーブル１５のコネクタ１０を選択的に挿抜する配線作業を支援する配線管理システムにおいて、配線ケーブル１５のコネクタ１０のＩＤとアダプタ番号が対応付けられて記憶されたデータベース装置２０を備えた配線管理装置と、コネクタ１０に取り付けられ当該コネクタのＩＤをバーコードで記憶したコネクタタグ１１と、前記配線管理装置に接続され且つ配線盤１に配置されたアダプタ行バーコードリーダの読取端３と、前記配線管理装置に接続され且つ配線盤１に配置されたアダプタ列バーコードリーダの読取端４とから構成された配線管理システムである。そして、前記配線管理装置に接続された行アダプタ・ナビゲーション用ＬＥＤ５が行毎に、且つ列アダプタ・ナビゲーション用ＬＥＤ６が列毎に、配線盤１に配置されている。
【００３９】
なお、実施例１において、フリー挿入作業、フリー抜去作業、ナビゲーション挿入作業、ナビゲーション抜去作業の選択を挿抜選択スイッチ２５を操作して行うとしたが、作業モード選択スイッチを挿抜選択スイッチ２５とは別個にコントローラに備えてもよい。また、フリー挿入・抜去とナビゲーション挿入・抜去の開始指示が上位のシステムから行われる場合は、挿抜選択スイッチ２５の操作は不要である。要するに、上述のフローチャートによる作業は、実施例１の一例であることは勿論である。
【実施例２】
【００４０】
本発明の実施例２の配線管理システムは、実施例１の配線管理システムにおいて、８個のアダプタ行バーコードリーダの読取端３を８個のアダプタ行選択スイッチに置き換えて構成されたものである。
【００４１】
即ち、実施例２の配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタ番号が対応付けられて記憶されたデータベース装置を備えた配線管理装置と、前記コネクタに取り付けられたコネクタタグであって当該プラグのＩＤを記憶したコネクタタグと、前記配線管理装置に接続され且つ前記配線盤に配置されたアダプタ行選択スイッチと、前記配線管理装置に接続され且つ前記配線盤に配置されたアダプタ列バーコードリーダの読取端とから構成された配線管理システムである。
【００４２】
実施例２の配線管理システムにおけるフリー挿入作業、フリー抜去作業、ナビゲーション挿入作業、ナビゲーション抜去作業は、図３、図４、図５、図６のフローチャートの流れにそれぞれ準じて行われる。
【実施例３】
【００４３】
本発明の実施例３の配線管理システムは、実施例１の配線管理システムにおいて、１０個のアダプタ列バーコードリーダの読取端４を１０個のアダプタ列選択スイッチに置き換えて構成されたものである。
【００４４】
即ち、実施例３の配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタ番号が対応付けられて記憶されたデータベースを備えた配線管理装置と、前記コネクタに取り付けられたバーコードリーダの読取端であって当該プラグのＩＤを記憶したバーコードリーダの読取端と、前記配線管理装置に接続され且つ前記配線盤に配置されたアダプタ列選択スイッチと、前記配線管理装置に接続され且つ前記配線盤に配置されたアダプタ行バーコードリーダの読取端とから構成された配線管理システムである。
【００４５】
実施例３の配線管理システムにおけるフリー挿入作業、フリー抜去作業、ナビゲーション挿入作業、ナビゲーション抜去作業は、図３、図４、図５、図６のフローチャートの流れにそれぞれ準じて行われる。
【実施例４】
【００４６】
本発明の実施例４の配線管理システムは、実施例１の配線管理システムにおいて、８個のアダプタ行バーコードリーダの読取端３を８個のアダプタ行選択スイッチに置き換え、１０個のアダプタ列バーコードリーダの読取端４を１０個のアダプタ列選択スイッチに置き換え、更に少なくとも１個のバーコード読取端を配線盤１に配置して構成されたものである。
【００４７】
即ち、実施例４の配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタ番号が対応付けられて記憶されたデータベース装置を備えた配線管理装置と、前記コネクタに取り付けられ当該プラグのＩＤをバーコードで記憶したコネクタタグと、前記配線管理装置に接続され且つ前記配線盤に配置されたアダプタ行選択スイッチと、前記配線管理装置に接続され且つ前記配線盤に配置されたアダプタ列選択スイッチと、前記配線管理装置に接続され且つ前記配線盤に配置されたバーコードリーダの読取端とから構成された配線管理システムである。
【００４８】
実施例４の配線管理システムにおけるフリー挿入作業、フリー抜去作業、ナビゲーション挿入作業、ナビゲーション抜去作業は、図３、図４、図５、図６のフローチャートの流れにそれぞれ準じて行われる。
【図面の簡単な説明】
【００４９】
【図１】本発明の実施例１の配線管理システムが適用された配線パネルの模式的構成図である。
【図２】本発明の実施例１の配線管理システムを構成する配線管理パネルのブロック構成図である。
【図３】本発明の実施例１のフリー挿入作業のフローチャートである。
【図４】本発明の実施例１のフリー抜去作業のフローチャートである。
【図５】本発明の実施例１のナビゲーション挿入作業のフローチャートである。
【図６】本発明の実施例１のナビゲーション抜去作業のフローチャートである。
【符号の説明】
【００５０】
１  配線盤
２  アダプタ
３  アダプタ行バーコードリーダの読取端
４  アダプタ列バーコードリーダの読取端
５  アダプタ行ＬＥＤ
６  アダプタ列ＬＥＤ
１０  コネクタ
１１  コネクタタグ
１５  配線ケーブル
１９  コントローラ
２０  データベース装置
２１  制御部
２２  表示部
２３  警報部
２４  上位ＩＦ
２５  挿抜選択スイッチ
２６  行バーコード読取部
２７  列バーコード読取部
２８  行ＬＥＤ表示部
２９  列ＬＥＤ表示部
【図１】
2007221400.tif 000003
【図２】
2007221400.tif 000004
【図３】
2007221400.tif 000005
【図４】
2007221400.tif 000006
【図５】
2007221400.tif 000007
【図６】
2007221400.tif 000008